(57)【要約】
【課題】  シート状発光表示装置のもつ利点、即ち薄く構成でき、持ち運びや取り付けが簡単であり、柔軟性を保持して曲面部等どこにでも簡単に張り付けることができ、また嵩張ることなく、発光による鮮明な表示ができるという利点を生かして、更に装置によって表示される表示内容を簡単、容易に変更することができるシート状発光表示装置の提供を課題とする。
【解決手段】  エレクトロルミネッセンス発光層を含む発光シート部１０を有し、該発光シート部１０に電圧を印加することにより発光シート部１０の表面を発光させるようにしたシート状発光表示装置であって、発光シート部１０の発光面側に、文字、記号、図形等の表示を書き込み及び消去できる透明シートからなる透明書込用シート部２０を配置すると共に、その透明書込用シート部２０の表面を装置の最表面に露出させてなる。
【選択図】        図２
0003101429.tif 000002
【実用新案登録請求の範囲】
【請求項１】
エレクトロルミネッセンス発光層を含む発光シート部を有し、該発光シート部に電圧を印加することにより前記発光シート部の表面を発光させるようにしたシート状発光表示装置であって、前記発光シート部の発光面側に、文字、記号、図形等の表示を書き込み及び消去できる透明シートからなる透明書込用シート部を配置すると共に、その透明書込用シート部の表面を装置の最表面に露出させてなることを特徴とするシート状発光表示装置。
【請求項２】
エレクトロルミネッセンス発光層を含む発光シート部を有し、該発光シート部に電圧を印加することにより前記発光シート部の表面を発光させるようにしたシート状発光表示装置であって、前記発光シート部の発光面側に、文字、記号、図形等の表示を成した透明シートを着脱自在に張り付けるための透明張付用シート部を配置すると共に、その透明張付用シート部の表面を装置の最表面に露出させてなることを特徴とするシート状発光表示装置。
【請求項３】
エレクトロルミネッセンス発光層を含む発光シート部を有し、該発光シート部に電圧を印加することにより前記発光シート部の表面を発光させるようにしたシート状発光表示装置であって、前記発光シート部の発光面側に、文字、記号、図形等の表示を成した透明表示ボードを外部から着脱自在に挿入するための挿入口を有する透明挿入用ケースを配置し、外装フィルムで前記透明挿入用ケースの上面が該外装フィルムを透過して見えるように全体を被覆してあることを特徴とするシート状発光表示装置。
【請求項４】
エレクトロルミネッセンス発光層を含む発光シート部を有し、該発光シート部に電圧を印加することにより前記発光シート部の表面を発光させるようにしたシート状発光表示装置であって、前記発光シート部の発光面側に、該発光シート部の外装フィルム介して、文字、記号、図形等の表示を成した透明表示ボードを着脱自在に挿入するためのガイド枠を構成してあることを特徴とするシート状発光表示装置。
【考案の詳細な説明】
【技術分野】
【０００１】
本考案はシート状発光表示装置に関し、より詳しくは、エレクトロルミネッセンス素子（ＥＬ素子）を用いて、柔軟で且つ非常に薄くて面発光ができる表示装置として、種々の場所に光るステッカーとして張り付けたり、載置したりすることができるシート状発光表示装置に関する。
【背景技術】
【０００２】
ＥＬ素子を用いたシート状発光表示装置は、厚みが薄く且つ面発光ができることから、シート状の発光表示装置として、種々の場所に簡単に張り付けたり或いは置いたりして使用されている。
図５にそのような従来のシート状発光表示装置の例を示す。図５の（Ａ）は装置の平面図で、（Ｂ）は縦断面の拡大図である。
この図５に示す装置は、例えばタクシーのフロントガラスの内側等に配置することができるシート状発光表示装置で、１ｍｍ以下の厚みを有する柔軟性シートとされている。そして表示部分ａから白色を含む彩色光が放たれ、表示部分ａ以外の非表示部分ｂからは、前記表示部分ａとは異なる色彩の光が放たれ（或いは遮光され）ることで、夜間はもとより昼間においても十分な表示力を発揮することができる。
シート状発光表示装置の従来における構造を、図５の（Ｂ）に簡単に示す。１は発光シート部で、発光シート部１の発光面側に表示シート２が配置され、それら発光シート部１と表示シート２とを外装３で覆った構造とされている。４は前記発光シート部３からの電源コードである。
電源コード４を図示しない電源に接続して前記発光シート部１に電圧をかけることで、発光シート部１が面発光し、その光が表示シート２を通過し、外装３を通過して外部に発光する。前記表示シート２は、文字、記号、描画等が構成された表示部分ａとそれ以外の非表示部分ｂとが異なる色彩（白、黒を含む）で色分けされた状態の透明シートとされ、発光シート部１からの発光が表示シート２を通過し、更に透明の外装３を透過して外部に放たれる。これによって、見者は非常に顕著な表示を目にすることになる。
【考案の開示】
【考案が解決しようとする課題】
【０００３】
しかしながら、上記従来のシート状発光表示装置は、図５の（Ｂ）に示すように、予め一定の表示をなした表示部分ａを発光シート部１と共に外装３内に封じ込めた構造としているため、表示を変更する必要のない場合には、何ら問題なく長期にわたってこれを用いることができる一方、その表示内容を比較的短期間或いは頻繁に変更する必要がある場合には、この従来の装置を使用することができない。
例えば観光バスにおいては、団体客の名前の入った表示をフロントガラス部分に行うのが一般的であるが、このような団体客の表示や観光旅行名の表示は、団体客が代わる度に表示を変更しなければならないことから、これまでは紙に団体名や観光旅行名を記載したものをフロントガラスに張り付けたりしていた。即ち、上記従来のシート状発光表示装置が使われる余地は全くなかったわけである。同様に、旅館やレストラン等において予約客の名前を玄関等に表示する場合等においても、上記従来のシート状発光表示装置が使われる余地がなかった。
【０００４】
そこで本考案は上記従来のシート状発光表示装置における不都合を解消し、シート状発光表示装置のもつ利点、即ち薄く構成でき、持ち運びや取り付けが簡単であり、柔軟性を保持して曲面部等どこにでも簡単に張り付けることができ、また嵩張ることなく、発光による鮮明な表示ができるという利点を生かして、更に装置によって表示される表示内容を簡単、容易に変更することができるシート状発光表示装置の提供を課題とする。
【課題を解決するための手段】
【０００５】
上記課題を達成するため、本考案のシート状発光表示装置は、エレクトロルミネッセンス発光層を含む発光シート部を有し、該発光シート部に電圧を印加することにより前記発光シート部の表面を発光させるようにしたシート状発光表示装置であって、前記発光シート部の発光面側に、文字、記号、図形等の表示を書き込み及び消去できる透明シートからなる透明書込用シート部を配置すると共に、その透明書込用シート部の表面を装置の最表面に露出させてなることを第１の特徴としている。
また本考案のシート状発光表示装置は、エレクトロルミネッセンス発光層を含む発光シート部を有し、該発光シート部に電圧を印加することにより前記発光シート部の表面を発光させるようにしたシート状発光表示装置であって、前記発光シート部の発光面側に、文字、記号、図形等の表示をなした透明シートを着脱自在に張り付けるための透明張付用シート部を配置すると共に、その透明張付用シート部の表面を装置の最表面に露出させてなることを第２の特徴としている。
また本考案のシート状発光表示装置は、エレクトロルミネッセンス発光層を含む発光シート部を有し、該発光シート部に電圧を印加することにより前記発光シート部の表面を発光させるようにしたシート状発光表示装置であって、前記発光シート部の発光面側に、文字、記号、図形等の表示をなした透明表示ボードを外部から着脱自在に挿入するための挿入口を有する透明挿入用ケースを配置し、外装フィルムで前記透明挿入用ケースの上面が該外装フィルムを透過して見えるように全体を被覆してあることを第３の特徴としている。
また本考案のシート状発光表示装置は、エレクトロルミネッセンス発光層を含む発光シート部を有し、該発光シート部に電圧を印加することにより前記発光シート部の表面を発光させるようにしたシート状発光表示装置であって、前記発光シート部の発光面側に、該発光シート部の外装フィルム介して、文字、記号、図形等の表示をなした透明表示ボードを着脱自在に挿入するためのガイド枠を構成してあることを第４の特徴としている。
【考案の効果】
【０００６】
請求項１に記載のシート状発光表示装置によれば、発光シート部の発光面側に透明書込用シート部を配置すると共に、その透明書込用シート部の表面を装置の最表面に露出させてなることにより、この装置を使用する者は、その装置の最表面に露出している透明書込用シート部に対して、水性や油性の消去可能なインキやペイント、その他の筆記材料、描画材料を用いて自己が望む文字、記号、図形等の表示を自由に記載して、発光表示を行うことができる。そしてその表示が不要となった場合には、その表示を消去し、必要に応じて新たに文字、記号、図形等の表示を透明書込用シート部に作成することで、別の表示からなる発光表示を容易に行うことができる。
以上により、シート状発光表示装置の利点を生かしながら、頻繁に或いは比較的短期に表示内容を変更する必要がある場合にも、十分に対処して求められる表示を行うことができる。これによって、シート状発光表示装置の用途を従来に比べて格段に広げることができるのである。
【０００７】
請求項２に記載のシート状発光表示装置によれば、発光シート部の発光面側に透明張付用シート部を配置すると共に、その透明張付用シート部の表面を装置の最表面に露出させてなることにより、この装置を使用する者は、その装置の最表面に露出している透明張付用シート部の表面に対して、予めインキやペイント、その他の筆記材料、描画材料を用いて文字、記号、図形等の表示を記載した着脱自在な透明シートを張り付けることで、所望の表示を発光表示することができる。そしてその発光表示が不要になった場合には、前記張り付けた透明シートを透明張付用シート部から外し、必要に応じて別の表示をなした透明シートを透明張付用シート部に張り付けることで、別の表示からなる発光表示を容易に行うことができる。
以上により、シート状発光表示装置の利点を生かしながら、頻繁に或いは比較的短期に表示内容を変更する必要がある場合にも素早く且つ十分に対処して、有効な表示を行うことができる。即ち、シート状発光表示装置の用途を格段に広げることができる。
【０００８】
請求項３に記載のシート状発光表示装置によれば、発光シート部の発光面側に、外部から透明表示ボードを着脱自在に挿入するための挿入口を有する透明挿入用ケースを配し、外装フィルムで前記透明挿入用ケースの上面が該外装フィルムを透過して見えるように被覆してあることにより、文字、記号、図形等の表示をなした透明表示ボードを外装フィルムを被覆された装置に対して前記挿入口から挿入することで、透明表示ボードの表示を透明挿入用ケース及び外装フィルムを通じて外部に発光表示することができる。そしてその発光表示が不要となった場合には、前記透明表示ボードを取り外し、必要に応じて別の表示をなした透明表示ボードを挿入することで、別の表示からなる発光表示を簡単、容易に行うことができる。
以上により、必要な表示をなした透明表示ボードを必要に応じて用意することで、シート状発光表示装置の利点を生かしながら、頻繁に或いは比較的短期に表示内容を変更する必要がある場合にも、それに素早く対処した有効な表示を行うことができ、用途を格段に広げることができる。
【０００９】
請求項４に記載のシート状発光表示装置によれば、発光シート部の発光面側に、外装フィルムを介して、透明表示ボードを着脱自在に挿入するためのガイド枠を構成してあることにより、文字、記号、図形等の表示をなした前記透明表示ボードを前記ガイド枠に沿って挿入することで、透明表示ボードの表示を外部に発光表示することができる。透明表示ボードの出し入れは、発光シート部を外装する外装フィルムの外で行うので、発光シート部の保護を十分に図りながら、簡単に透明表示ボードの取り替え等を行うことができる。
以上により、必要な表示をなした透明表示ボードを必要に応じて用意することで、シート状発光表示装置の利点を生かしながら、簡単な構成により、頻繁に或いは比較的短期に表示内容を変更する必要がある場合にもそれに素早く対処した有効な表示を行うことができ、用途を格段に広げることができる。
【考案を実施するための最良の形態】
【００１０】
以下の図面を参照しながら、本考案の実施形態を更に詳細に説明する。
図１は本考案の第１の実施形態を示すシート状発光表示装置の概略を示し、（Ａ）は平面図、（Ｂ）は正面図である。図２は第１の実施形態を示すシート状発光表示装置の縦断面図である。図３は本考案の第２の実施形態を示し、（Ａ）はシート状発光表示装置の斜視図、（Ｂ）は（Ａ）のＰ−Ｐ断面図、（Ｃ）は透明表示ボードを示す斜視図である。図４は本考案の第３の実施形態を示し、（Ａ）はシート状発光表示装置の斜視図、（Ｂ）は（Ａ）のＱ−Ｑ断面図である。
【００１１】
先ず図１、図２を参照して、本考案の第１の実施形態を説明する。
シート状発光装置は、発光シート部１０と、該発光シート部１０の発光面側（図２において発光シート部１０の上面側）に積層される形で配置された透明の書き込み用のシート部、即ち透明書込用シート部２０と、該透明書込用シート部２０と前記発光シート部１０とを被覆する外装フィルム３０と、前記発光シート部１０から導出されたプラグ付きの電源コード４０とを有する。全体としての厚みは１ｍｍ程度以下とすることができる。また全体として柔軟性のあるシートとして構成されている。
【００１２】
前記発光シート部１０は、エレクトロルミネッセンス発光層１１と、該発光層１１の上面に積層された透明電極層１２と、発光層１１の下面に積層された絶縁層１３と、該絶縁層１３の下面に積層された不透明電極層１４とからなり、前記電源コード４０は透明電極層１２と不透明電極層１４とに接続されている。これによって電圧が発光層１１に対して負荷され、面発光がなされる。
【００１３】
前記透明書込用シート部２０は、水性或いは油性の筆記具に対して書き込みができ、且つ水性の筆記具の場合は水で拭き取ることにより消去でき、油性の筆記具の場合はアルコール等の溶剤で拭き取ることができる樹脂製の透明シートで構成する。この透明書込用シート部２０の透明に関しては、色付きの透明とすることができる。
透明書込用シート部２０の上面は、その周縁部が外装フィルム３０により被覆されることで、その大部分が装置そのものの上面として露出している。従って使用者は、前記露出している透明書込用シート部２０の表面に対して筆記具等で直接、必要な表示を書き込み或いは消去することができる。
前記発光シート部１０で面発光した光は透明書込用シート部２０を透過する。そしてその際、透明書込用シート部２０の前記書込みによる表示部分ａとそれ以外の非表示部分ｂとの色の違いにより、透過して出てくる光の色が前記表示部分ａと非表示部分ｂとで異なり、光による表示が行われる。
図１においては、観光バスにおけるフロントガラス等への団体名表示として、或いは旅館の玄関等における団体名表示としての表示が「株式会社新東商会」として表示されている例を示すが、この表示は一日等で不要になり、新たな表示が必要となる。本案では不要となった表示を消し、新たに必要な表示を書き入れることで、鮮やかな面発光表示を簡単に行うことができる。
【００１４】
次に上記第１の実施形態の変形例を説明する。
前記第１の実施形態においては、発光シート部１０の発光面側（上面）に透明書込用シート部２０を積層して配置したが、代わりに透明張付用シート部を積層して配置してもよい。この透明張付用シート部は、文字、記号、図形等の表示をなした透明シートを着脱自在に張り付けるための基面としての透明の張り付け用のシート部である。この透明張付用シート部の上面が装置そのものの上面として露出するようにして構成する。
使用者は、予め用意した透明シートに手書き、パソコン等を用いた簡易な印刷、その他の印刷をし、或いは透明シートを切り抜き文字により形成し、その他により必要な表示を透明シートに作成しておき、この必要な表示をなした透明シートを前記露出している透明張付用シート部の表面に着脱自在に張り付けることで、発光表示を行うことができる。
前記透明シートの透明張付用シート部表面に対する張り付けは、例えば張り剥しのできる粘着剤を用いた粘着面を前記透明シートの背面の一部等に構成しておくことで行うことができる。また透明粘着テープを用いて、表示のなされた透明シートを透明張付用シート部に張り付けることによっても行うことができる。
新たな表示が必要となった場合には、不要となった表示をなした透明シートを透明張付用シート部から剥し、新たに必要となった表示をなした透明シートを透明張付用シート部に張り付ければよい。
【００１５】
次に図３を参照して、本考案の第２の実施形態を説明する。
本第２の実施形態においては、発光シート部１０の発光面（上面）側に透明挿入用ケース５０を配置している。該透明挿入用ケース５０は、文字、記号、図形等の表示をなした透明表示ボード６０を外部から着脱自在に挿入するための挿入口５１を有する透明の樹脂等からなるケースである。
前記発光シート部１０と透明挿入用ケース５０は、前記挿入口５１を除いて、外装フィルム３０によって被覆されている。勿論、透明挿入用ケース５０の上面は外装フィルム３０を透過して見えるように、外装フィルム３０を透明フィルムとし、或いは少なくとも外装フィルム３０のうち、透明挿入用ケース５０の上面に対応する部分が透明になされている。
前記透明表示ボード６０は、その表面に文字、記号、図形等の表示を行うための透明のボードであり、透明な樹脂で構成することができる。またその厚みは、勿論、前記挿入口５１から透明挿入用ケース５０の中に挿入することができる厚みとするが、折り畳むことができない程度の厚みを有するものとする。
前記のような透明表示ボード６０を用いて、文字、記号、図形等の必要な表示を、例えは消去可能な水性や油性の筆記手段で書き込み、これを装置の挿入口５１から内部に挿入して、前記発光シート部１０の上面に積層・配置することで、発光シート部１０からの光が透明表示ボード６０を透過し、装置の外部へ発光し、所定の表示を行う。
装置による別の表示が必要となった場合は、前記透明表示ボード６０を抜き出し、別の記載のなされた透明表示ボード６０を挿入するか、或いは透明表示ボード６０の表示を元の表示から新しい表示に書き替えて、再挿入すればよい。
【００１６】
次に図４を参照して、本考案の第３の実施形態を説明する。
本第３の実施形態においては、発光シート部１０の発光面（上面）側に、外装フィルム３０を介してガイド枠７０を配置している。該ガイド枠７０は、文字、記号、図形等の表示をなした透明表示ボード６０（図３参照）を装置の外表面に積層状態に配置するためのガイドである。ガイド枠７０は、例えば図４に示すように、装置の表示面の１辺を除く３辺に構成され、透明表示ボード６０が前記１辺側からガイド枠７０に沿って装着され、透明表示ボード６０の３辺がガイド枠７０に嵌合された状態に保持される。
発光シート部１０から発光された光は、外装フィルム３０を透過し、更に透明表示ボード６０を透過して外部に放たれ、所定の発光表示がなされる。
【図面の簡単な説明】
【００１７】
【図１】本考案の第１の実施形態を示すシート状発光表示装置の概略を示し、（Ａ）は平面図、（Ｂ）は正面図である。
【図２】本考案の第１の実施形態を示すシート状発光表示装置の拡大縦断面図である。
【図３】本考案の第２の実施形態を示し、（Ａ）はシート状発光表示装置の斜視図、（Ｂ）は（Ａ）のＰ−Ｐ拡大断面図、（Ｃ）は透明表示ボードの斜視図である。
【図４】本考案の第３の実施形態を示し、（Ａ）はシート状発光表示装置の斜視図、（Ｂ）は（Ａ）のＱ−Ｑ拡大断面図である。
【図５】従来のシート状発光表示装置を示し、（Ａ）は平面図、（Ｂ）は拡大縦断面図である。
【符号の説明】
【００１８】
１０  発光シート部
１１  発光層
１２  透明電極層
１３  絶縁層
１４  不透明電極層
２０  透明書込用シート部
３０  外装フィルム
４０  電源コード
５０  透明挿入用ケース
５１  挿入口
６０  透明表示ボード
７０  ガイド枠
ａ    表示部分
ｂ    非表示部分
【図１】
0003101429.tif 000003
【図２】
0003101429.tif 000004
【図３】
0003101429.tif 000005
【図４】
0003101429.tif 000006
【図５】
0003101429.tif 000007